(57)【要約】【課題】各施設に配置したゲートウェイ装置と監視制御装置との間の通信回線に異常が発生した場合もデータの欠落を防止し、データの連続性を確保することを目的とする。【解決手段】ゲートウェイ装置２に、収集データにタイムスタンプを付加し、当該タイムスタンプに基づいてデータ蓄積エリア１３に蓄積すると共に監視制御装置１に送信するデータ送信処理部１１と、監視制御装置１からのデータ再収集要求によりデータ蓄積エリア１３に蓄積されているデータを送信するデータ再収集応答処理部１２を備え、監視制御装置１に、データ送信処理部１１から送信されてくるデータを受信してタイムスタンプに基づいてデータベース２３に格納するデータ受信処理部と、データ再収集応答処理部１２に対して再収集要求を送信して、データ蓄積エリア１３に蓄積されているデータを再収集してデータベースに格納するデータ再収集要求処理部２２を備えたものである。【選択図】        図１
2004246438.tif 000002
【特許請求の範囲】
【請求項１】
ゲートウェイ装置で収集したデータを通信ネットワークを介して監視制御装置に送信する時系列データの収集システムにおいて、
前記ゲートウェイ装置に、収集データにタイムスタンプを付加し、当該タイムスタンプに基づいてデータ蓄積エリアに蓄積すると共に前記監視制御装置に送信するデータ送信処理部と、前記監視制御装置からのデータ再収集要求によりデータ蓄積エリアに蓄積されているデータを送信するデータ再収集応答処理部を備え、
前記監視制御装置に、前記データ送信処理部から送信されてくるデータを受信し、前記タイムスタンプに基づいてデータベースに格納するデータ受信処理部と、前記データ再収集応答処理部に対して再収集要求を送信し、データ蓄積エリアに蓄積されているデータを再収集してデータベースに格納するデータ再収集要求処理部を備えたことを特徴とする時系列データの収集システム。
【請求項２】
前記監視制御装置のデータ受信処理部に、データの欠落期間を検知し、前記データ再収集要求処理部へ再収集要求の発行を行う再収集判定処理部を備えたことを特徴とする請求項１記載の時系列データの収集システム。
【請求項３】
前記ゲートウェイ装置のデータ送信処理部に、収集したデータをデータ蓄積エリアに蓄積するかどうかを判定する蓄積判定処理部を備え、前記監視制御装置のデータ受信処理部に、受信したデータをデータベースに格納するかどうかを判定する格納判定処理部を備えたことを特徴とする請求項１又は請求項２に記載の時系列データの収集システム。
【請求項４】
前記ゲートウェイ装置のデータ再収集応答処理部に、前記通信ネットワークの回線容量に応じて再収集データを分割して送信する再収集データ分割処理部を備えたことを特徴とする請求項１から請求項３のいずれか１項に記載の時系列データの収集システム。
【請求項５】
前記監視制御装置に、自装置の時刻を時刻情報として送信する時刻情報送信処理部を備え、前記ゲートウェイ装置に、受信した前記時刻情報に基づいて自装置の時刻を補正する時刻同期化処理部を備えたことを特徴とする請求項１から請求項４のいずれか１項に記載の時系列データの収集システム。
【発明の詳細な説明】
【０００１】
【発明の属する技術分野】
この発明は、時系列データの収集システムに係り、特に広範囲に点在するゲートウェイ装置を広域回線で接続して監視制御装置で集中管理する監視制御システムにおいて、通信回線異常による欠落データを補完し、データの連続性を確保するシステムに関する。
【０００２】
【従来の技術】
従来、上位計算機への送信に失敗したデータの一元的な保存を可能として通信データの欠落を防止し、通信異常時のデータ管理を簡素化できるデータバッファリングシステムが提案されている。
【０００３】
このデータバッファリングシステムは、データバッファリング専用装置を新たに設け、プロセス制御コントローラにプロセスデータ送信処理部を持たせて、上位計算機へのデータが正常完了しなかった場合に、送信できなかったデータをデータバッファリング専用装置に送信し、そのデータベースに格納させるようにしたものである（例えば、特許文献１参照）。
【０００４】
【特許文献１】
特開平９−８８５０号公報（［０００５］、［０００６］、図１）
【０００５】
【発明が解決しようとする課題】
従来のデータバッファリングシステムは以上のように構成され、上位計算機、プロセス制御コントローラ、及びデータバッファリング専用装置を接続している通信回線としての伝送用バスに異常が発生した場合、プロセス制御コントローラとデータバッファリング専用装置の間の通信が行なえず、プロセス制御コントローラからデータバッファリング専用装置への送信が行なえないため、データ欠落が防止できないという問題点があった。
【０００６】
この発明は、上記のような問題点を解消するためになされたものであり、各施設に配置したゲートウェイ装置と監視制御装置との間の通信回線に異常が発生した場合もデータの欠落を防止し、データの連続性を確保することを目的とする。
【０００７】
【課題を解決するための手段】
この発明による時系列データの収集システムは、ゲートウェイ装置で収集したデータを通信ネットワークを介して監視制御装置に送信するシステムにおいて、ゲートウェイ装置に、収集データにタイムスタンプを付加し、当該タイムスタンプに基づいてデータ蓄積エリアに蓄積すると共に監視制御装置に送信するデータ送信処理部と、監視制御装置からのデータ再収集要求によりデータ蓄積エリアに蓄積されているデータを送信するデータ再収集応答処理部を備え、
監視制御装置に、データ送信処理部から送信されてくるデータを受信してタイムスタンプに基づいてデータベースに格納するデータ受信処理部と、データ再収集応答処理部に対して再収集要求を送信して、データ蓄積エリアに蓄積されているデータを再収集してデータベースに格納するデータ再収集要求処理部を備えたものである。
【０００８】
【発明の実施の形態】
実施の形態１．
以下、この発明の実施の形態１による時系列データの収集システムを図に基づいて説明する。図１において、このシステムは、中央管理センターにおいてデータを集中管理する監視制御装置１と、広範囲に点在する施設に配置されてその施設内のプロセスデータを前記監視制御装置１に送信すると共にその送信データの蓄積を行なうゲートウェイ装置２と、前記監視制御装置１と前記ゲートウェイ装置２を接続している通信ネットワーク３から構成されている。
【０００９】
前記ゲートウェイ装置２は、データ送信処理部１１、データ再収集応答処理部１２、データ蓄積エリア１３を備えている。データ蓄積エリア１３は、監視制御装置１へ送信したプロセスデータを蓄積する役割を果す。データ送信処理部１１は、施設内のプロセスデータの収集、収集データへのタイムスタンプの付加、収集データのデータ蓄積エリア１３への格納、および収集データの監視制御装置１への定周期送信を行なう。データ再収集応答処理部１２は、監視制御装置１からの再収集要求の受信、データ蓄積エリア１３からのデータの取り出し、および監視制御装置１への再収集データの送信を行なう。
【００１０】
前記監視制御装置１は、データ受信処理部２１、データ再収集要求処理部２２、データベース２３、データ再収集要求部２４を備えている。データ受信処理部２１は、ゲートウェイ装置２から送信されるデータの受信及び受信データのデータベース２３への格納を行なう。データ再収集要求処理部２２は、ゲートウェイ装置２への再収集要求の送信、ゲートウェイ装置２からの再収集データの受信、および受信データのデータベース２３への格納を行なう。データベース２３は、ゲートウェイ装置２から受信したプロセスデータを蓄積する役割を果す。また、データ再収集要求部２４は、ユーザからの操作によりデータ再収集要求処理部２２に再収集要求を発行する。
【００１１】
次に、実施の形態１の動作について説明する。図２はこの実施の形態１におけるゲートウェイ装置２内のデータ送信処理部１１の動作を示すフローチャート、図３は監視制御装置１内のデータ受信処理部２１の動作を示すフローチャート、図４は監視制御装置１内のデータ再収集要求処理部２２の動作を示すフローチャート、図５はゲートウェイ装置２内のデータ再収集応答処理部１２の動作を示すフローチャートである。以下、この図２〜図５を参照しながら、データ収集時の動作およびデータ再収集時の動作について説明する。
【００１２】
まず、図２及び図３を参照しながら、プロセスデータの収集時の動作を説明する。ゲートウェイ装置２において、データ送信処理部１１ではプロセスデータを例えば定周期で収集し（ＳＴ２１）、その収集データに自装置の現在時刻をタイムスタンプとして付加する（ＳＴ２２）。その後、そのタイムスタンプに基づきデータ蓄積エリア１３に格納する（ＳＴ２３）。そして、通信ネットワーク３を経由して監視制御装置１に対して、収集したプロセスデータをタイムスタンプとともに送信する（ＳＴ２４）。一方、監視制御装置１において、データ受信処理部２１ではゲートウェイ装置２から送信されたプロセスデータを受信し（ＳＴ３１）、受信したタイムスタンプに基づきデータベース２３に格納する（ＳＴ３２）。
【００１３】
次に、図４及び図５を参照しながら、プロセスデータの再収集時の動作を説明する。監視制御装置１において、通信ネットワーク３の異常や監視制御装置１の停止等によりゲートウェイ装置２から監視制御装置１へのデータの送信が失敗した場合、ユーザはデータ再収集要求部２４に対して再収集操作を行う。データ再収集要求部２４はユーザからの再収集操作が行われるとデータ再収集要求処理部２２に対して再収集期間など再収集に必要な情報とともに再収集要求を発行する。データ再収集要求処理部２２は再収集要求を受信する（ＳＴ４１）と、通信ネットワーク３を経由してゲートウェイ装置２に対し再収集要求を送信する（ＳＴ４２）。データ再収集要求処理部２２はゲートウェイ装置２から送信された再収集データを受信する（ＳＴ４３）と、その受信した再収集データをタイムスタンプに基づいてデータベース２３に格納する（ＳＴ４４）。一方、ゲートウェイ装置２において、データ再収集応答処理部１２では監視制御装置１から送信された再収集要求を受信する（ＳＴ５１）と、データ蓄積エリア１３から再収集要求期間のデータを取り出し（ＳＴ５２）、その取り出した再収集データを監視制御装置１に対し通信ネットワーク３を経由して送信する（ＳＴ５３）。
【００１４】
以上のように実施の形態１では、ゲートウェイ装置２において収集したデータにタイムスタンプを付加した上でデータ蓄積エリア１３に蓄積し、そのデータをタイムスタンプとともに監視制御装置１に送信するようにし、監視制御装置１ではそのタイムスタンプに基づいて受信データをデータベース２３に格納するようにする。更に、ユーザからの操作により、ゲートウェイ装置２内のデータ蓄積エリア１３のデータを再収集できるようにした。このように時系列データの収集を行なうように構成したため、監視制御装置１内のデータベース２３のデータのタイムスタンプとゲートウェイ装置２内のデータ蓄積エリア１３のデータのタイムスタンプが同一となり、通信ネットワーク３の異常や監視制御装置１の停止などにより、ゲートウェイ装置２から監視制御装置１へのデータの送信が失敗したとしても、それらのデータをユーザからの操作で再収集を行うことにより、データの欠落を補完し、データの連続性を確保できる効果がある。また、ゲートウェイ装置２のデータ蓄積エリア１３には未送信データだけではなく、送信完了データも蓄積しているため、監視制御装置１のディスク故障のような、データ送信完了後に発生した異常によるデータの欠落を補完できる効果がある。
【００１５】
実施の形態２．
以下、この発明の実施の形態２を図に基づいて説明する。図６は実施の形態２による時系列データの収集システムを示すシステム構成図である。図において、データ受信処理部２１内に、ゲートウェイ装置２から送信されるタイムスタンプからデータの欠落を判定し、自動でデータ再収集要求処理部２２へ再収集要求の発行を行なう再収集判定処理４１を備える。なお、その他の構成については、図１に示した実施の形態１と同様であるので、相当部分に同一符号を付してその説明を省略する。
【００１６】
次に、実施の形態２の動作について説明する。図７はこの実施の形態２における監視制御装置１内のデータ受信処理部２１の動作を示すフローチャートである。以下より、この図７を参照しながら、データ欠落時のデータ自動再収集の動作を説明する。なお、その他の動作については、実施の形態１で説明した手順と同一である。
【００１７】
図７を参照しながら、データ欠落時の自動再収集の動作を説明する。監視制御装置１において、データ受信処理部２１ではゲートウェイ装置２から送信されたプロセスデータを受信し（ＳＴ７１）、受信したタイムスタンプに基づきデータベース２３に格納する（ＳＴ７２）。データ受信処理部２１内の再収集判定処理部４１において、データの欠落を自動判定する（ＳＴ７３）。例えば定周期でデータを収集している場合に、受信したタイムスタンプと前回受信したタイムスタンプを比較し、その時間差分がデータベース２３への格納周期より大きい場合、データが欠落したものと判定する（ＳＴ７３）。データが欠落している場合は、データ再収集要求処理部２２に対して検知した欠落期間を再収集期間として再収集要求を発行する（ＳＴ７４）。
【００１８】
以上のように実施の形態２では、データ欠落を自動判定し、データが欠落した場合にゲートウェイ装置２から欠落期間のデータを自動で再収集するようにした。このように時系列データの収集を行なうように構成したので、通信ネットワーク３の異常や監視制御装置１の停止などにより、ゲートウェイ装置２から監視制御装置１へのプロセスデータの定周期送信が失敗し、データの欠落が発生した場合にもユーザの再収集操作を必要とせずにデータの欠落を防止することが可能である。その結果、オペレータ（ユーザ）の負荷を軽減する効果、および再収集操作忘れによるデータ欠落を防止する効果がある。
【００１９】
実施の形態３．
以下、この発明の実施の形態３を図に基づいて説明する。図８はこの発明の実施の形態３による時系列データの収集システムを示すシステム構成図である。図において、ゲートウェイ装置２のデータ送信処理部１１内に、収集したプロセスデータをデータ蓄積エリア１４に格納するか否かの判定を行なう蓄積判定処理部３１を備える。また、監視制御装置１のデータ受信処理部２１内に、ゲートウェイ装置２から定周期で送信されるプロセスデータをデータベース２５に格納するか否かの判定を行なう格納判定処理部４２を備える。また、監視制御装置１に備えられた表示専用データ処理部２５は、ゲートウェイ装置２から短周期で送信されるプロセスデータを監視画面等に表示する。なお、その他の構成については、図６に示した実施の形態２と同様であるので、相当部分に同一符号を付してその説明を省略する。
【００２０】
次に、実施の形態３の動作について説明する。図９はこの実施の形態３におけるゲートウェイ装置２内のデータ送信処理部１１の動作を示すフローチャート、図１０は監視制御装置１内のデータ受信処理部２１の動作を示すフローチャートである。以下より、この図９、図１０を参照しながら、データベース格納用データと表示専用データという様に収集周期の異なるデータを同時に収集する場合の動作を説明する。なお、その他の動作については実施の形態１、実施の形態２で説明した手順と同一である。
【００２１】
まず、図９を参照しながら、データ送信処理部１１の動作を説明する。ゲートウェイ装置２において、データ送信処理部１１ではプロセスデータを例えば定周期で収集し（ＳＴ９１）、データ送信処理部１１内の蓄積判定処理部３１が、この収集データをデータ蓄積エリア１３に蓄積すべきか否かを判定する（ＳＴ９２）。この判定では、例えばデータを定周期で収集している場合、収集時の時刻と監視制御装置１内のデータベース２３への蓄積周期とを比較し、収集時の時刻が格納すべき時刻である場合にはデータ蓄積エリア１３に格納する必要があると判定する。格納する必要がないと判定された場合には、収集データに前回送信時のタイムスタンプを付加し（ＳＴ９４）、通信ネットワーク３を経由して監視制御装置１に対し収集したプロセスデータをタイムスタンプとともに送信する（ＳＴ９６）。一方、格納する必要があると判定された場合には、収集データに自装置の現在時刻をタイムスタンプとして付加した（ＳＴ９３）後、そのタイムスタンプに基づきデータ蓄積エリア１３に格納する（ＳＴ９５）。その後、通信ネットワーク３を経由して監視制御装置１に対し収集したプロセスデータをタイムスタンプとともに送信する（ＳＴ９６）。
【００２２】
次に、図１０を参照しながら、データ受信処理部２１の動作を説明する。監視制御装置１において、データ受信処理部２１ではゲートウェイ装置２から送信されたプロセスデータを受信し（ＳＴ１０１）、データ受信処理部２１内の格納判定処理部４２が、この受信データがデータベース２３に格納すべきか否かを判定する（ＳＴ１０２）。この判定では、受信したタイムスタンプと前回受信時のタイムスタンプを比較し、同一の場合にはデータベース２３に格納する必要がないと判定する。格納する必要がないと判定された場合には、データベース２３には格納せず、表示専用データ処理部２５に受信データを表示専用データとして送信し（ＳＴ１０６）、監視画面などに表示専用データを表示する。一方、格納する必要があると判定された場合には、受信したタイムスタンプに基づきデータベース２３に格納する（ＳＴ１０３）。その後、データ受信処理部２１内の再収集判定処理部４１において、受信したタイムスタンプと前回受信したタイムスタンプを比較し、例えばその時間差分がデータベース２３への格納周期より大きい場合、データが欠落したものと判定し（ＳＴ１０４）、データが欠落している場合は、データ再収集要求処理部２２に対して検知した欠落期間を再収集期間として再収集要求を発行し（ＳＴ１０５）。格納する必要がないと判定された場合と同様に、表示専用データ処理部２５に受信データを送信する（ＳＴ１０６）
【００２３】
以上のように実施の形態３では、ゲートウェイ装置２から送信するプロセスデータのうち、そのデータを蓄積する必要がある場合のみタイムスタンプを更新し、監視制御装置１では受信したプロセスデータのうち、タイムスタンプが変化した場合のみデータベース２３に格納するようにした。このように時系列データの収集を行なうように構成したので、例えば、データベース格納用データのデータベース２３への蓄積周期よりも短周期で収集する必要がある表示専用データの様に周期の異なるデータを同時に収集することができるため、通信ネットワーク３上のデータ量を削減する効果がある。
【００２４】
実施の形態４．
以下、この発明の実施の形態４を図に基づいて説明する。図１１はこの発明の実施の形態４による時系列データの収集システムを示すシステム構成図である。図において、ゲートウェイ装置２のデータ再収集応答処理部１２内に、再収集データを通信ネットワーク３の回線容量に応じて分割して送信する処理を行なう再収集データ分割処理部３２を備える。なお、その他の構成については、図８に示した実施の形態３と同様であるので、相当部分に同一符号を付してその説明を省略する。
【００２５】
次に、実施の形態４の動作について説明する。図１２はこの実施の形態４におけるゲートウェイ装置２内のデータ再収集応答処理部１２の動作を示すフローチャートである。以下、この図１２を参照しながら、再収集時の分割送信の動作を説明する。なお、その他の動作については実施の形態１、実施の形態２、実施の形態３で説明した手順と同一である。
【００２６】
図１２を参照しながら、再収集時の分割送信の動作を説明する。ゲートウェイ装置２のデータ再収集応答処理部１２では、監視制御装置１から送信された再収集要求を受信する（ＳＴ１２１）と、データ再収集応答処理部１２内の再収集データ分割処理部３２が、再収集データを分割して送信すべきか否かを判定する（ＳＴ１２２）。この判定では、回線の空き容量を、回線容量から定周期送信データ等の再収集データ以外のデータのデータ量を減じた値とし、再収集データのデータ量が回線空き容量を超える場合には、分割して送信する必要があると判定する。分割して送信する必要があると判定された場合には、分割後の１データのデータ量が回線空き容量を越えないように再収集データを分割する（ＳＴ１２３）。その後、分割した再収集データに対して、データ蓄積エリア１３から再収集要求期間のデータを取り出し（ＳＴ１２４）、その取り出した再収集データを監視制御装置１に対し通信ネットワーク３を経由して送信し（ＳＴ１２５）、これを分割した再収集データを全て送信するまで繰り返す（ＳＴ１２６）。一方、分割して送信する必要がないと判定された場合には、データ蓄積エリア１３から再収集要求期間のデータを取り出し（ＳＴ１２４）、その取り出した再収集データを監視制御装置１に対し通信ネットワーク３を経由して送信する（ＳＴ１２５）。
【００２７】
以上のように実施の形態４では、ゲートウェイ装置２から監視制御装置１へ送信する再収集データを通信ネットワーク３の回線の空き容量に応じて分割して送信するようにした。このように時系列データの収集を行なうように構成したので、監視制御装置１とゲートウェイ装置２と間の通信ネットワーク３の通信回線として低速度回線を使用することができ、また、データ再収集が通常のデータ収集に影響を与えないようにすることが可能となる。
【００２８】
実施の形態５．
以下、この発明の実施の形態５を図に基づいて説明する。図１３はこの発明の実施の形態５による時系列データの収集システムを示すシステム構成図である。図において、監視制御装置１に、自装置の時刻を時刻情報としてゲートウェイ装置２に送信する時刻情報送信処理部２６を備える。また、ゲートウェイ装置２に、監視制御装置１から送信される時刻情報を受信し、受信した時刻情報で自装置の時刻を時刻補正する時刻同期化処理部１４を備える。なお、その他の構成については、図１１に示した実施の形態４と同様であるので、相当部分に同一符号を付してその説明を省略する。
【００２９】
次に、実施の形態５の動作について説明する。図１４はこの実施の形態５における監視制御装置１内の時刻情報送信処理部１４の動作を示すフローチャート、図１５はゲートウェイ装置２内の時刻同期化処理部２６の動作を示すフローチャートである。以下、図１４及び図１５を参照しながら、監視制御装置１とゲートウェイ装置２との間の時刻同期処理の動作を説明する。なお、その他の動作については実施の形態１、実施の形態２、実施の形態３、実施の形態４で説明した手順と同一である。
【００３０】
まず、図１４を参照しながら、時刻情報送信処理部２６の動作を説明する。監視制御装置１において、自装置の時刻を時刻情報として一定周期でゲートウェイ装置２に送信する（ＳＴ１４１）。
【００３１】
次に、図１５を参照しながら、時刻同期化処理部１４の動作を説明する。ゲートウェイ装置２において、監視制御装置１から一定周期で送信される時刻情報を受信し（ＳＴ１５１）、その受信した時刻情報で時刻補正を行なう（ＳＴ１５２）。
【００３２】
以上のように実施の形態５では、ゲートウェイ装置２の時刻を、監視制御装置１から受信した時刻情報で時刻補正するようにした上で、時系列データを収集するように構成したので、特に複数のゲートウェイ装置を監視制御装置に接続した場合のゲートウェイ装置間の時刻の同期化が可能となり、監視制御装置１内のデータベース２３に格納するデータのタイムスタンプを、送信元ゲートウェイ装置によらず一元化することができる。
【００３３】
【発明の効果】
以上のように、この発明によれば、ゲートウェイ装置に、収集データにタイムスタンプを付加し、当該タイムスタンプに基づいてデータ蓄積エリアに蓄積すると共に監視制御装置に送信するデータ送信処理部と、監視制御装置からのデータ再収集要求によりデータ蓄積エリアに蓄積されているデータを送信するデータ再収集応答処理部を備え、監視制御装置に、データ送信処理部から送信されてくるデータを受信してタイムスタンプに基づいてデータベースに格納するデータ受信処理部と、データ再収集応答処理部に対して再収集要求を送信して、データ蓄積エリアに蓄積されているデータを再収集してデータベースに格納するデータ再収集要求処理部を備えた。これにより、監視制御装置内のデータベースのデータのタイムスタンプとゲートウェイ装置内のデータ蓄積エリアのデータのタイムスタンプが同一となり、通信ネットワークの異常や監視制御装置の停止等により、ゲートウェイ装置２から監視制御装置１へのデータの送信が失敗したとしても、それらのデータの再収集を行うことにより、データの欠落を補完し、データの連続性を確保できる効果がある。
【図面の簡単な説明】
【図１】この発明の実施の形態１による時系列データの収集システムを示すシステム構成図である。
【図２】実施の形態１におけるゲートウェイ装置内のデータ送信処理部の動作を示すフローチャートである。
【図３】実施の形態１における監視制御装置内のデータ定周期応答処理部の動作を示すフローチャートである。
【図４】実施の形態１における監視制御装置内のデータ再収集要求処理部の動作を示すフローチャートである。
【図５】実施の形態１におけるゲートウェイ装置内のデータ再収集応答処理部の動作を示すフローチャートである。
【図６】この発明の実施の形態２による時系列データの収集システムを示すシステム構成図である。
【図７】実施の形態２における監視制御装置内のデータ受信処理部の動作を示すフローチャートである。
【図８】この発明の実施の形態３による時系列データの収集システムを示すシステム構成図である。
【図９】実施の形態３におけるゲートウェイ装置内のデータ送信処理部の動作を示すフローチャートである。
【図１０】実施の形態３における監視制御装置内のデータ受信処理部の動作を示すフローチャートである。
【図１１】この発明の実施の形態４による時系列データの収集システムを示すシステム構成図である。
【図１２】実施の形態４におけるゲートウェイ装置内のデータ再収集応答処理部の動作を示すフローチャートである。
【図１３】この発明の実施の形態５による時系列データの収集システムを示すシステム構成図である。
【図１４】実施の形態５における監視制御装置内の時刻情報送信処理部の動作を示すフローチャートである。
【図１５】実施の形態５におけるゲートウェイ装置内の時刻同期化処理部の動作を示すフローチャートである。
【符号の説明】
１  監視制御装置、２  ゲートウェイ装置、３  通信ネットワーク、１１  データ送信処理部、１２  データ再収集応答処理部、１３  データ蓄積エリア、２１  データ受信処理部、２２  データ再収集要求処理部、２３  データベース、２４  データ再収集要求部、４１  再収集判定処理部、３１  蓄積判定処理部、４２  格納判定処理部、３２  再収集データ分割処理部、２６  時刻情報送信処理部、１４  時刻同期化処理部。
【図１】
2004246438.tif 000003
【図２】
2004246438.tif 000004
【図３】
2004246438.tif 000005
【図４】
2004246438.tif 000006
【図５】
2004246438.tif 000007
【図６】
2004246438.tif 000008
【図７】
2004246438.tif 000009
【図８】
2004246438.tif 000010
【図９】
2004246438.tif 000011
【図１０】
2004246438.tif 000012
【図１１】
2004246438.tif 000013
【図１２】
2004246438.tif 000014
【図１３】
2004246438.tif 000015
【図１４】
2004246438.tif 000016
【図１５】
2004246438.tif 000017